(57)【要約】
【課題】　簡単に喚起を行うことができ，しかも喚起効率がよく使い勝手をよくする。
【解決手段】　テントの底面を構成するグラウンドシート１０５を有し，テントポール１０１に天幕シート１０２を懸吊して張設するテントであって，天幕シート１０２のうちテントの両側部位に形成される側面換気口１０３と，側面換気口を開放または閉鎖できるように天幕シートの下縁部に敷設され，グラウンドシートに取付けられた換気口シート１１１と，換気口シートを必要な分だけ部分開閉をして通風量を調節するための部分開閉手段とを設けた。
【選択図】　　図１
0003100149.tif 000002
【実用新案登録請求の範囲】
【請求項１】
　テントの底面を構成するグラウンドシートを有し，テントポールに天幕シートを懸吊して張設するテントであって，
　前記天幕シートのうち前記テントの両側部位に形成される側面換気口と，
　前記側面換気口を開放または閉鎖できるように前記天幕シートの下縁部に敷設され，前記グラウンドシートに取付けられた換気口シートと，
　前記換気口シートを必要な分だけ部分開閉をして通風量を調節するための部分開閉手段と，
を備えることを特徴とするテント。
【請求項２】
　前記部分開閉手段は，前記天幕シートの側面換気口の内周面に設けられる第１ファスナーと，
　前記第１ファスナーと噛み合うように換気口シートの外周面に設けられる第２ファスナーと，
　前記第１及び第２ファスナーを脱着するファスナー掛止用スライダと，
を備えることを特徴とする請求項１に記載のテント。
【請求項３】
　前記換気口シートの外周面部及び前記側面換気口の内周面部は，曲面形状に構成されていることを特徴とする請求項１又は２に記載のテント。
【考案の詳細な説明】
【技術分野】
【０００１】
　本考案は，テントに関する。
【背景技術】
【０００２】
　従来のテントでは，換気口が出入口（ドア）とは別途に備わっていないため，例えば前面出入口（前面ドア）と後面出入口（後面ドア）を利用してテントの内部を喚起するか，またはテントの天頂に別の換気窓を設けて喚起をするようになっていた。
【考案の開示】
【考案が解決しようとする課題】
【０００３】
　しかしながら，従来のように前面出入口と後面出入口とを利用してテントの内部を喚起するためにはすべての出入口を開放しなければならず，喚起後にはこれらの出入口をまた閉じなければならないため，使用者の動作が多くなり，使い勝手が悪かった。
【０００４】
　また，テント天頂の換気窓を利用してテントの内部を喚起する場合には，使用者がテント内で立ち上がって換気窓を開閉しなければならないので不便であった。またテント内部が密閉された状態では天頂の換気窓を通して空気の流れることがないので，効果的な通風効果を得ることができない。
【０００５】
　そこで，本考案は，このような問題に鑑みてなされたもので，その目的とするところは，簡単に喚起を行うことができ，しかも喚起効率がよく使い勝手のよいテントを提供することにある。
【課題を解決するための手段】
【０００６】
　上記課題を解決するために，本考案のある観点によれば，テントの底面を構成するグラウンドシートを有し，テントポールに天幕シートを懸吊して張設するテントであって，前記天幕シートのうち前記テントの両側部位に形成される側面換気口と，前記側面換気口を開放または閉鎖できるように前記天幕シートの下縁部に敷設され，前記グラウンドシートに取付けられた換気口シートと，前記換気口シートを必要な分だけ部分開閉をして通風量を調節するための部分開閉手段とを備えることを特徴とするテントが提供される。
【０００７】
　ここで，上記部分開閉手段は，前記天幕シートの側面換気口の内周面に設けられる第１ファスナーと，前記第１ファスナーと噛み合うように換気口シートの外周面に設けられる第２ファスナーと，
　前記第１及び第２ファスナーを脱着するファスナー掛止用スライダとを備えるように構成してもよい。
【０００８】
　このような本考案に係るテントによれば，テントの両側天幕シートの下側に側面換気口を形成したので，外部の冷たい空気がテントの側面換気口を通じて内部に流入しテントの上側部に循環する。これにより，より効果的な通風効果が得られる。
【０００９】
　また，必要時にこの側面換気口を開放または閉鎖できるように天幕シートの下縁部に敷設されるグラウンドシートに換気口シートを取付けたので，側面換気口及び換気口シートは使用者がテントの内部で手を伸ばせば届く距離に位置する。これにより，使用者が座っていたり横になっている状態でも換気口シートを容易に開閉できる点で，使い勝手をよくすることができる。
【００１０】
　さらに，換気口シートの部分開閉手段により必要な分だけ換気口シートを部分的に開閉することが可能である。すなわち，ファスナー掛止用スライダの前進及び後進作用により側面換気口の開閉の調節を容易に行なうことができるので，誰でも簡単に操作できて，開放程度の調節が容易になる。
【００１１】
　また，製作の側面から見ても，天幕シートの下側部を曲面状に裁断して側面換気口を作り，裁断時に発生するフラグメントの換気口シートをグラウンドシートに取付けた後，側面換気口の内周面及び換気口シートの外周面に第１及び第２ファスナー１０４，１１２を取付け，これらのファスナー１０４，１１２をファスナー掛止用スライダで締めれば完成する。したがって，テントの構成が簡単であるので，製作性及び生産性に優れる。
【００１２】
　また，上記換気口シートの外周面部及び前記側面換気口の内周面部は，曲面形状に構成すれば，外観が美麗なテント１００が得られる。
【考案の効果】
【００１３】
　以上説明したように本考案によれば，簡単に喚起を行うことができ，しかも喚起効率がよく使い勝手のよいテントを提供することができる。例えば，テントの天幕シートの両側部位に側面換気口を形成して，この側面換気口を開放または閉鎖できるように天幕シートの下縁部に敷設されるグラウンドシートに換気口シートを取付けた後，換気口シートの部分開閉手段により必要な分だけ換気口シートを部分的に開放できるように構成することによって，外部の冷たい空気がテントの両側面を通じて内部に流入してテント上側部に循環できるため，より効果的な通風効果を得ることができる。
【００１４】
　また，換気口シートの部分開閉によりテントに流入する空気の量をテント内部の温度条件に合せて調節できるので，テントの室内環境をより快適に維持でき，美麗な外観を得ることができると共に，換気口シートの開閉作用が簡単であるので誰でも開閉調節が可能である。
【考案を実施するための最良の形態】
【００１５】
　以下に添付図面を参照しながら，本考案の好適な実施の形態について詳細に説明する。なお，本明細書及び図面において，実質的に同一の機能構成を有する構成要素については，同一の符号を付することにより重複説明を省略する。
【００１６】
　図１は，本考案の実施形態に係るテントの構成を示す外観斜視図である。図２は本実施形態に係るテントの天幕シートに形成された側面換気口及び換気口シートの構成を示す図である。本実施形態にかかるテント１００は，図１に示すように骨格を構成するテントポール１０１に天幕シート１０２を懸吊して張設するものである。テントポール１０１は，天井部位で交差する。天幕シート１０２はテントの前後の天幕をそれぞれ構成する前側天幕シート１０２ａ及び後側天幕シート（図示しない），テントの両側面の天幕シートを構成する両側天幕シート１０２ｂを有する。前側天幕シート１０２ａには，出入口（ドア）１０２ｃが形成されている。
【００１７】
　また，テント１００は，図２にも示すように上記出入口１０２ｃとは別に両側天幕シート１０２に形成される側面換気口１０３と，この側面換気口１０３を開放または閉鎖できるように天幕シート１０２の下縁部に敷設されるグラウンドシート１０５に取付けられた換気口シート１１１とを備える。なお，側面換気口１０３は両側天幕シート１０２の一方に形成してもよく，両方に形成してもよい。また，換気口シート１１１の外周面部及び側面換気口１０３の内周面部は例えば曲面形状に構成してもよい。
【００１８】
　このような側面換気口１０３を通じて外部の冷たい空気がテント１００内に流入してテント１００内を換気することができる。側面換気口１０３を両側天幕シート１０２の両方に設けることにより，側面換気口１０３を通じて流入した外部からの冷たい空気をテント１００の上側部に循環させることができる。また，テント１００は，換気口シート１１１を必要な分だけ部分的に開閉して通風量を調節するための換気口シート１１１の部分開閉手段を備えている。
【００１９】
　ここで，上記換気口シート１１１の部分開閉手段の具体的な構成を説明する。換気口シート１１１の部分開閉手段は，天幕シート１０２の側面換気口１０３の内周面に設けられる複数の第１ファスナー１０４と，この第１ファスナー１０４と噛み合うように換気口シート１１１の外周面に設けられる複数の第２ファスナー１１２と，これらの第１，第２ファスナー１０４，１１２を結合または分離させて側面換気口１０３を開閉するファスナー掛止用スライダ１１３とからなっている。なお，上記ファスナーは複数に分けてもよい。
【００２０】
　本考案に係るテント１００の天幕シート１０２の下側部には側面換気口１０３と換気口シート１１１が曲面形状に形成されているので，外観が美麗なテント１００が得られる。
【００２１】
　また，製作の側面から見ても，天幕シート１０２の下側部を曲面状に裁断して側面換気口１０２を作り，裁断時に発生するフラグメントの換気口シート１１１をグラウンドシート１０５に取付けた後，側面換気口１０２の内周面及び換気口シート１０５の外周面に第１及び第２ファスナー１０４，１１２を付着し，これらのファスナー１０４，１１２にファスナー掛止用スライダ１１３を締めれば完成する。したがって，テントの構成が簡単であるので，製作性及び生産性に優れる。
【００２２】
　また，本実施形態に係る側面換気口１０３及び換気口シート１１１は，使用者がテント１００の内部で手を伸ばせば届く距離に位置するので，使用者が座っていたり横になっている状態でも換気口シート１１１を容易に開閉できるので使い勝手がよい。
【００２３】
　次に，上記のように構成された本考案に係るテントの作用について図面を参照しながら説明する。図３〜図５は本実施形態に係るテントの側面換気口と換気口シートの作用を示す図である。先ず，側面換気口１０３の第１ファスナー１０４と換気口シート１１１の第２ファスナー１１２を閉塞したり分離したりすることができるファスナー掛止用スライダ１１３を後進させれば，図３に示すように側面換気口１０３の一部が開放される。
【００２４】
　また，図３の状態からファスナー掛止用スライダ１１３を更に後進させれば，図４に示すように側面換気口１０３が半分程度開放された状態を維持することができ，図５に示すようにファスナー掛止用スライダ１１３を完全に後進させれば，側面換気口１０３の全体が開放される状態にすることができる。
【００２５】
　このように側面換気口１０３が開放された状態を維持すれば，外部の冷たい空気がテント１００の両側面，すなわち側面換気口１０３を通じて内部に流入してテント１００の上側部に循環できるので，より効果的な通風効果が得られる。そして，ファスナー掛止用スライダ１１３を必要なだけ前進させれば，側面換気口１０３の部分開放も可能になる。
【００２６】
　したがって，前述したような部分的な開放作用によりテント１００に流入する空気の量をテント１００の内部の温度条件に合せて調節できるので，より快適なテント１００の室内環境を維持できる。
【００２７】
　また，前述したように，ファスナー掛止用スライダ１１３の前進及び後進作用により側面換気口１０３の開閉の調節を容易に行なうことができるので，誰でも簡単に操作できて，開放程度の調節が容易になる。
【００２８】
　以上，添付図面を参照しながら本考案の好適な実施形態について説明したが，本考案は係る例に限定されないことは言うまでもない。当業者であれば，実用新案登録請求の範囲に記載された範疇内において，各種の変更例または修正例に想到し得ることは明らかであり，それらについても当然に本考案の技術的範囲に属するものと了解される。
【産業上の利用可能性】
【００２９】
　本考案は，テントに適用可能であり，特に，簡単な構成で製作性及び生産性に優れた側面換気口を具備するテントに適用可能である。
【図面の簡単な説明】
【００３０】
【図１】本考案の実施形態に係る側面換気口と換気口シートが形成されたテントの斜視図である。
【図２】本実施形態に係るテントの天幕シートに形成される側面換気口及び換気口シートの構成を示す一部断面図である。
【図３】本実施形態に係る側面換気口と換気口シートの作用を示す図面である。
【図４】本実施形態に係る側面換気口と換気口シートの作用を示す図面である。
【図５】本実施形態に係る側面換気口と換気口シートの作用を示す図面である。
【符号の説明】
【００３１】
　１００　　　テント
　１０１　　　テントポール
　１０２　　　天幕シート
　１０２ａ　　前側天幕シート
　１０２ｂ　　両側天幕シート
　１０２ｃ　　出入口
　１０３　　　側面換気口
　１０４　　　第１ファスナー
　１０５　　　グラウンドシート
　１１１　　　換気口シート
　１１２　　　第２ファスナー
　１１３　　　ファスナー掛止用スライダ
【図１】
0003100149.tif 000003
【図２】
0003100149.tif 000004
【図３】
0003100149.tif 000005
【図４】
0003100149.tif 000006
【図５】
0003100149.tif 000007